(57)【要約】【課題】呼の発生によりコアネットワーク上の通信帯域を確保し、呼の切断により通信帯域を開放できるようにする。【解決手段】本発明の異種網回線通信装置は、それぞれ異なる複数のネットワークと接続し、少なくとも呼制御サーバーを有する第１のネットワークと、第１の無線通信方式に従って、通信端末毎の通信品質のコネクションを確立し、第１のネットワークと無線通信する網側無線通信手段と、第１の無線通信方式と異なる通信方式に従って、少なくとも１以上のネットワークのそれぞれを構成する通信端末と通信する１又は複数の通信手段と、網側無線通信手段又は各通信手段が受信した受信パケットに含まれている呼制御メッセージを識別するパケット識別手段と、パケット識別結果に応じて、網側無線通信手段と第１のネットワークとの間のコネクションの確立制御をするパケット転送制御手段とを備える。【選択図】      図１
2009010733.tif 000002
【特許請求の範囲】
【請求項１】
それぞれ異なる複数のネットワークと接続する異種網回線通信装置において、
少なくとも呼制御サーバーが設けられている第１のネットワークと、第１の無線通信方式に従って、通信端末毎に設定された通信品質のコネクションを確立し、上記第１のネットワークと無線通信する網側無線通信手段と、
第１の無線通信方式とはそれぞれ異なる通信方式に従って、少なくとも１以上のネットワークのそれぞれを構成する通信端末と通信する１又は複数の通信手段と、
上記網側無線通信手段又は上記各通信手段が受信した受信パケットに含まれている呼制御メッセージを識別するパケット識別手段と、
上記受信パケットの宛先に応じた通信方式のパケット構成に変換して転送制御をすると共に、上記パケット識別手段による識別結果に応じて、上記網側無線通信手段と上記第１のネットワークとの間のコネクションの確立制御をするパケット転送制御手段と
を備えることを特徴とする異種網回線通信装置。
【請求項２】
上記パケット転送制御手段が、呼接続を行なう場合には、通信を行なう通信端末に設定された通信品質のコネクションを確立させるようにし、それ以外の場合には、当該通信端末に設定された通信品質のコネクションを開放させることを特徴とする請求項１に記載の異種網回線通信装置。
【請求項３】
呼接続を行なう場合において、通信を行なう通信端末に設定された通信品質のコネクションが確立できなかったとき、上記呼接続メッセージの発信元を宛先として、呼接続不可を示すメッセージを作成するメッセージ作成手段を備え、
上記パケット転送制御手段が、上記メッセージ作成手段により作成された上記メッセージを含むパケットを送信させることを特徴とする請求項２に記載の異種網回線通信装置。
【請求項４】
上記パケット識別手段により呼接続完了メッセージが識別されると、上記呼接続メッセージに基づいて当該通信に要する無線帯域を判断し、上記網側無線通信手段と上記第１のネットワークとの間の無線帯域占有割合を求める無線帯域管理手段と、
上記呼接続完了メッセージに基づいて、当該通信に係る通信ルートを管理する通信ルート管理手段と
を備え、
上記パケット転送制御手段は、上記通信に係る通信ルートが上記第１のネットワークを介さないものであるときに、当該通信端末に設定された通信品質のコネクションを開放させることを特徴とする請求項１〜３のいずれかに記載の異種網回線通信装置。
【請求項５】
上記線帯域管理手段は、上記パケット識別手段により切断完了メッセージが識別されると、上記切断完了メッセージに基づいて当該通信に要した無線帯域を判断し、上記網側無線通信手段と上記第１のネットワークとの間の無線帯域占有割合を更新することを特徴とする請求項４に記載の異種網回線通信装置。
【請求項６】
それぞれ異なる複数のネットワークと接続する異種網回線通信装置の異種網回線通信方法において、
網側無線通信手段が、少なくとも呼制御サーバーが設けられている第１のネットワークと、第１の無線通信方式に従って、通信端末毎に設定された通信品質のコネクションを確立し、上記第１のネットワークと無線通信する網側無線通信工程と、
１又は複数の通信手段が、第１の無線通信方式とはそれぞれ異なる通信方式に従って、少なくとも１以上のネットワークのそれぞれを構成する通信端末と通信する１又は複数の通信工程と、
パケット識別手段が、上記網側無線通信手段又は上記各通信手段が受信した受信パケットに含まれている呼制御メッセージを識別するパケット識別工程と、
パケット転送制御手段が、上記受信パケットの宛先に応じた通信方式のパケット構成に変換して転送制御をすると共に、上記パケット識別手段による識別結果に応じて、上記網側無線通信手段と上記第１のネットワークとの間のコネクションの確立制御をするパケット転送制御工程と
を有することを特徴とする異種網回線通信方法。
【請求項７】
それぞれ異なる複数のネットワークと接続する異種網回線通信装置の異種網回線通信プログラムにおいて、
コンピュータに、
少なくとも呼制御サーバーが設けられている第１のネットワークと、第１の無線通信方式に従って、通信端末毎に設定された通信品質のコネクションを確立し、上記第１のネットワークと無線通信する網側無線通信手段、
第１の無線通信方式とはそれぞれ異なる通信方式に従って、少なくとも１以上のネットワークのそれぞれを構成する通信端末と通信する１又は複数の通信手段、
上記網側無線通信手段又は上記各通信手段が受信した受信パケットに含まれている呼制御メッセージを識別するパケット識別手段、
上記受信パケットの宛先に応じた通信方式のパケット構成に変換して転送制御をすると共に、上記パケット識別手段による識別結果に応じて、上記網側無線通信手段と上記第１のネットワークとの間のコネクションの確立制御をするパケット転送制御手段
として機能させる異種網回線通信プログラム。
【発明の詳細な説明】
【技術分野】
【０００１】
本発明は、異種網回線通信装置、方法及びプログラムに関し、例えば、それぞれ異なる複数のネットワークに接続し、各ネットワーク間のパケット中継を行なうネットワーク装置に適用し得るものである。
【背景技術】
【０００２】
近年、長距離の高速無線通信技術として、例えば、ＩＥＥＥ８０２．１６に準拠する無線通信方式（ＷｉＭＡＸ（登録商標））が注目されており、図２は、この高速無線通信方式を用いてコアネットワークＮＴと接続するゲートウェイ装置１００の内部構成を示す。
【０００３】
図２に示すゲートウェイ装置１００は、例えばＩＥＥＥ８０２．１１に準拠する無線通信方式（ＷｉＦｉ（登録商標））の無線通信機能を備えると共に、例えばEthernet（登録商標）等の有線ネットワークと通信する通信機能を備えている。
【０００４】
これにより、ゲートウェイ装置１００は、無線ネットワーク、有線ネットワーク、コアネットワークＮＴのそれぞれのネットワーク間で、パケットの中継処理を行なうことができる。図２では、特に、ゲートウェイ装置１００が、ＳＩＰ（Session  Initiation  Protocol）パケットや音声パケットを各ネットワーク間で中継して、異種アクセス回線間でＶｏＩＰ通信を実現する場合を示している。
【０００５】
以下では、無線端末２００とＶｏＩＰ端末６００との間でＶｏＩＰ通信を実現する場合の、ゲートウェイ装置１００における処理を簡単に説明する。
【０００６】
まず、無線端末２００がゲートウェイ装置１００の無線エリアに入ると、ゲートウェイ装置１００は、ＩＥＥＥ８０２．１１及びＩＥＥＥ８０２．１Ｘに準拠する無線通信方式に従って、無線端末２００と無線接続し、無線端末２００から認証情報を取得する。
【０００７】
そうすると、ゲートウェイ装置１００のパケットルート制御部１０６は、回線側制御部１０５に対して、基地局（ＢＳ）３００との間のコネクション接続を要求する。
【０００８】
このとき、回線側制御部１０５及び回線側無線部１０２は、ＩＥＥＥ８０２．１６に準拠する無線通信方式に従って、基地局（ＢＳ）３００との間で、コネクション接続の手順に従って、ＩＥＥＥ８０２．１６に準拠するコネクション接続処理が開始される。
【０００９】
無線端末２００の認証情報は、基地局（ＢＳ）３００に向けて送信されて、ＡＳＮ−ＧＷ（Access  Service  Network  Gateway）４００を経由し、認証サーバー５００に与えられて、認証サーバー５００により所定の認証処理が行なわれる。
【００１０】
認証サーバー５００は、無線端末２００の認証情報に基づいて認証処理を行ない、認証が成功すると、無線端末２００のＶｏＩＰ通信に係るＱｏＳタイプ情報や暗号キー情報等を、ＡＳＮ−ＧＷ４００に向けて送信し、基地局（ＢＳ）３００に与えられる。
【００１１】
ここで、認証サーバー５００には、無線端末２００がＶｏＩＰ通信を行なうものであると、予め登録されているものとし、無線端末２００のＶｏＩＰ通信に使用されるＱｏＳタイプ情報としては、ベストエフォートタイプより優先度が高いＱｏＳタイプであると指定されているものとする。
【００１２】
そして、無線端末２００のＶｏＩＰ通信に係るＱｏＳタイプ情報が、基地局（ＢＳ）３００に与えられると、基地局（ＢＳ）３００は、この指定されたＱｏＳタイプに従って、ゲートウェイ装置１００との間で、ベストエフォートタイプよりも優先度が高いＱｏＳタイプのコネクションを確立し、暗号キー情報をゲートウェイ装置１００に与える。
【００１３】
ゲートウェイ装置１００では、端末側制御部１０７及び端末側無線部１０３が、ＩＥＥＥ８０２．１１に従って、暗号キー情報に基づく暗号化を含んだ無線通信を実現する。
【００１４】
以上のようにして、無線端末２００のＶｏＩＰ通信について、ゲートウェイ装置１００は、基地局（ＢＳ）３００との間のコネクションとして、ベストエフォートタイプよりも優先度が高いＱｏＳタイプのコネクションを確立する。
【００１５】
その後、無線端末２００がＶｏＩＰ端末６００に対してＶｏＩＰ通信の発呼を行なう場合、無線端末２００は、ＳＩＰメッセージを格納したパケットを、ゲートウェイ装置１００に向けて送信する。ゲートウェイ装置１００では、基地局（ＢＳ）３００との間でコネクションが既に確立されているから、ＳＩＰパケットは、このコネクションを介して基地局（ＢＳ）３００に与えられ、ＡＳＮ−ＧＷ４００を経由して、ＳＩＰサーバー５０１に与えられる。そして、ＳＩＰサーバー５００は、無線端末２００とＶｏＩＰ端末６００との間の呼制御を行ない、無線端末２００とＶｏＩＰ端末６００との間でＶｏＩＰ通信が行なわれる。
【００１６】
また、ＶｏＩＰ端末６００から無線端末２００への着呼を行なう場合、着呼メッセージは、ＳＩＰサーバー５０１から、ＡＳＮ−ＧＷ４００、基地局（ＢＳ）３００を経由して、既に確立されているコネクションを介して、ゲートウェイ装置１００に与えられる。ゲートウェイ装置１００では、受信パケットの宛先アドレスを判断して、端末側制御部１０７及び端末側無線部１０３により、着呼メッセージのパケットが無線端末２００に与えられる。そして、無線端末２００とＳＩＰサーバー５０１との間、及び、ＳＩＰサーバー５００とＶｏＩＰ端末６００との間で、ＳＩＰメッセージが通信され、呼が確立し、同様の流れで、無線端末２００とＶｏＩＰ端末との間で音声パケットが通信され、ＶｏＩＰ通信が行なわれる。
【００１７】
なお、有線ネットワーク端末２１０とＶｏＩＰ端末との間のＶｏＩＰ通信についても、ＩＥＥＥ８０２．１１の手順を行なわないだけで、基本的には、上述した手順と同様である。
【００１８】
また、ベストエフォートタイプより優先度が高いＱｏＳタイプのコネクションを１つ確立しているが、ベストエフォートタイプより優先度が高いＱｏＳタイプのコネクション及びベストエフォートタイプのＱｏＳタイプのコネクション等、複数のコネクションを確立する場合もある。
【００１９】
【非特許文献１】ＩＥＥＥ８０２．１６標準規格
【非特許文献２】ＩＥＥＥ８０２．１１標準規格
【発明の開示】
【発明が解決しようとする課題】
【００２０】
上述したように、従来のゲートウェイ装置は、ＶｏＩＰ通信が可能な無線端末が無線接続すると、ＶｏＩＰ通信の品質を確保するために、基地局との間のコネクションを確立するものとしている。
【００２１】
しかしながら、ゲートウェイ装置を通じて複数の同時通信を行なう場合、同時通信が可能な端末数は、基地局との間の高速無線通信の通信帯域を、１個のコネクションで保証される通信帯域で割った数以下の数に限られてしまうという問題がある。これは、電話システムの場合、すべての端末が同時に通話することはないということを前提として、ネットワーク設計することが通常行なわれているため、待機端末の数を増やすことが困難である。
【００２２】
そのため、コアネットワークに接続すると共に、他のネットワークと接続するものであって、同時通信をするときにでも、同時通信が可能な端末数を、基地局との間の高速無線通信の通信帯域を、１個のコネクションで保証される通信帯域で割った数以上の数とすることができる異種網回線通信装置、方法及びプログラムが求められている。
【課題を解決するための手段】
【００２３】
かかる課題を解決するために、第１の本発明の異種網回線通信装置は、それぞれ異なる複数のネットワークと接続する異種網回線通信装置において、（１）少なくとも呼制御サーバーが設けられている第１のネットワークと、第１の無線通信方式に従って、通信端末毎に設定された通信品質のコネクションを確立し、第１のネットワークと無線通信する網側無線通信手段と、（２）第１の無線通信方式とはそれぞれ異なる通信方式に従って、少なくとも１以上のネットワークのそれぞれを構成する通信端末と通信する１又は複数の通信手段と、（３）網側無線通信手段又は各通信手段が受信した受信パケットに含まれている呼制御メッセージを識別するパケット識別手段と、（４）受信パケットの宛先に応じた通信方式のパケット構成に変換して転送制御をすると共に、パケット識別手段による識別結果に応じて、網側無線通信手段と第１のネットワークとの間のコネクションの確立制御をするパケット転送制御手段とを備えることを特徴とする。
【００２４】
第２の本発明の異種網回線通信方法は、それぞれ異なる複数のネットワークと接続する異種網回線通信装置の異種網回線通信方法において、（１）網側無線通信手段が、少なくとも呼制御サーバーが設けられている第１のネットワークと、第１の無線通信方式に従って、通信端末毎に設定された通信品質のコネクションを確立し、第１のネットワークと無線通信する網側無線通信工程と、（２）１又は複数の通信手段が、第１の無線通信方式とはそれぞれ異なる通信方式に従って、少なくとも１以上のネットワークのそれぞれを構成する通信端末と通信する１又は複数の通信工程と、（３）パケット識別手段が、網側無線通信手段又は各通信手段が受信した受信パケットに含まれている呼制御メッセージを識別するパケット識別工程と、（４）パケット転送制御手段が、受信パケットの宛先に応じた通信方式のパケット構成に変換して転送制御をすると共に、パケット識別手段による識別結果に応じて、網側無線通信手段と第１のネットワークとの間のコネクションの確立制御をするパケット転送制御工程とを有することを特徴とする。
【００２５】
第３の本発明の異種網回線通信プログラムは、それぞれ異なる複数のネットワークと接続する異種網回線通信装置の異種網回線通信プログラムにおいて、コンピュータに、（１）少なくとも呼制御サーバーが設けられている第１のネットワークと、第１の無線通信方式に従って、通信端末毎に設定された通信品質のコネクションを確立し、第１のネットワークと無線通信する網側無線通信手段、（２）第１の無線通信方式とはそれぞれ異なる通信方式に従って、少なくとも１以上のネットワークのそれぞれを構成する通信端末と通信する１又は複数の通信手段、（３）網側無線通信手段又は各通信手段が受信した受信パケットに含まれている呼制御メッセージを識別するパケット識別手段、（４）受信パケットの宛先に応じた通信方式のパケット構成に変換して転送制御をすると共に、パケット識別手段による識別結果に応じて、網側無線通信手段と第１のネットワークとの間のコネクションの確立制御をするパケット転送制御手段として機能させるものである。
【発明の効果】
【００２６】
本発明によれば、コアネットワークに接続すると共に、他のネットワークと接続するものであって、同時通信をするときにでも、同時通信が可能な端末数を、基地局との間の高速無線通信の通信帯域を、１個のコネクションで保証される通信帯域で割った数以上の数とすることができる。
【発明を実施するための最良の形態】
【００２７】
（Ａ）第１の実施形態
以下、本発明の異種網回線通信装置、方法及びプログラムの第１の実施形態を、図面を参照しながら説明する。
【００２８】
第１の実施形態では、ＩＥＥＥ８０２．１１に準拠する無線ネットワークと、Ethernet（登録商標）等の有線ネットワークと、ＩＥＥＥ８０２．１６に準拠する無線通信方式に従って接続するコアネットワークとの間で、ＳＩＰパケットや音声パケットを中継処理する、ＶｏＩＰ通信に用いられるゲートウェイ装置に、本発明を適用する場合を例に挙げて説明する。
【００２９】
（Ａ−１）第１の実施形態の構成
図１は、第１の実施形態のネットワーク構成及びゲートウェイ装置の内部構成を示す図である。なお、図１では、図２に示す構成要素と対応する構成要素については、それぞれ対応する符号を付している。
【００３０】
図１において、第１の実施形態のゲートウェイ装置１００Ａは、ＩＥＥＥ８０２．１６に準拠する無線通信方式（ＷｉＭＡＸ（登録商標））に従って、コアネットワークＮＴと接続可能なものである。
【００３１】
また、ゲートウェイ装置１００Ａは、ＩＥＥＥ８０２．１１に準拠する無線通信方式（ＷｉＦｉ（登録商標））による無線ネットワークと接続可能なものであり、さらに、Ethernet（登録商標）等の有線ネットワークと接続可能なものである。
【００３２】
ゲートウェイ装置１００Ａは、これらネットワーク（コアネットワークＮＴ、無線ネットワーク、有線ネットワーク）と接続可能なものであって、これらのネットワーク間で、ＳＩＰメッセージを含むパケットや音声パケットを中継するものである。これにより、異種アクセス回線間でのＶｏＩＰ通信を実現することができる。
【００３３】
図１において、ゲートウェイ装置１００Ａは、制御部１０１Ａ、回線側無線部１０２、端末側無線部１０３、有線回線インタフェース部１０４、を少なくとも有して構成される。また、制御部１０１Ａとしては、回線側制御部１０５、パケットルート制御部１０６、端末側制御部１０７、有線回線制御部１０８、パケット識別部１０９、ＳＩＰパケット作成部１１０を有する。
【００３４】
回線側無線部１０２は、ＩＥＥＥ８０２．１６に準拠する無線通信方式（ＷｉＭＡＸ（登録商標））に従って、基地局（ＢＳ；Base  Station）３００との間で、無線通信を行なうものである。これにより、コアネットワークＮＴとの接続が可能となり、コアネットワークＮＴ上の、認証サーバー５００、ＳＩＰサーバー５０１、ＶｏＩＰ端末６００と通信することができる。
【００３５】
回線側制御部１０５は、ＩＥＥＥ８０２．１６の手順に従って、高速無線通信を実現するために必要な認証処理やコネクション確立処理などを制御するものである。回線側制御部１０５は、パケットルート制御部１０６の制御の下、基地局（ＢＳ）３００との間で確立するコネクションのＱｏＳタイプを制御するものである。
【００３６】
端末側無線部１０３は、ＩＥＥＥ８０２．１１に準拠する無線通信方式（ＷｉＦｉ（登録商標））に従って、無線エリアに存在している無線端末２００及び２０１と、無線通信を行なうものである。
【００３７】
端末側制御部１０７は、ＩＥＥＥ８０２．１１やＩＥＥＥ８０２．１ｘ等に準拠する手順に従って、無線端末２００との間の無線通信を制御するものである。
【００３８】
有線回線インタフェース部１０４は、有線回線と接続しており、有線ネットワーク端末２１０及び２１１との間の通信インタフェースである。
【００３９】
有線回線制御部１０８は、所定の通信方式に従って、有線ネットワークとの間の通信制御を行なうものである。
【００４０】
パケットルート制御部１０６は、受信したパケットのヘッダ情報に含まれている宛先アドレスに基づいて、パケットの宛先に向けた転送制御を行なうものである。つまり、パケットルート制御部１０６は、転送先のプロトコルに合わせて、パケット構成を変換する機能を有している。
【００４１】
また、パケットルート制御部１０６は、パケット識別部１０９を備え、パケット識別部１０９によるパケット識別結果に基づいて、当該パケットの送信要求をしたり、コネクションの確立制御をしたり、新たなＳＩＰメッセージの作成指示をしたりする。このパケットルート制御部１０６の処理は、動作の項で詳細において説明する。
【００４２】
パケット識別部１０９は、受信パケットのＳＩＰメッセージが、発呼メッセージ、着呼メッセージ、切断完了メッセージであるか否かを判断するものである。
【００４３】
ＳＩＰパケット作成部１１０は、パケットルート制御部１０６からの指示に応じて、受信メッセージの送信元を宛先として、ＢＵＳＹメッセージを含むパケットを作成し、この作成したＳＩＰパケットをパケットルート制御部１０６に与えるものである。
【００４４】
図１において、コアネットワークＮＴには、認証サーバー５００、ＳＩＰサーバー５０１、ＶｏＩＰ端末６００、ＡＳＮ−ＧＷ４００が接続されており、また、ゲートウェイ装置１００Ａと高速無線通信を行なう基地局（ＢＳ）３００が、ＡＳＮ−ＧＷ４００と接続されている。
【００４５】
認証サーバー５００は、所定の認証方式に従って、ＶｏＩＰ通信を行なう端末の認証処理を行なうものである。認証サーバー５００は、ＶｏＩＰ通信を行なう各端末に対して、確立するコネクションのＱｏＳ情報及び暗号キー情報等を保持するものである。
【００４６】
なお、第１の実施形態では、ベストエフォートタイプよりも優先度が高いＱｏＳタイプが、ＶｏＩＰ通信を行なう無線端末２００に対するＱｏＳタイプとして、認証サーバー５００に設定されているものとする。
【００４７】
ＳＩＰサーバー５０１は、ＳＩＰにより呼処理を行なうサーバーであり、ＶｏＩＰ端末６００は、ＳＩＰ（Session  Initiation  Protocol）に基づいて呼を行なう端末である。
【００４８】
ＡＳＮ−ＧＷ（Access  Service  Network  Gateway）４００は、基地局（ＢＳ）３００の無線通信を制御する装置であり。第１の実施形態のＡＳＮ−ＧＷ４００は、認証サーバー５００での認証処理が成功した、ＶｏＩＰ通信に係る端末に対するＱｏＳ情報を管理し、少なくなくともコネクションの確立処理を制御するものである。
【００４９】
無線端末２００及び２０１は、ＩＥＥＥ８０２．１１に準拠する無線通信方式に従って、無線通信を行なう無線端末であって、ＶｏＩＰ通信機能を有しているものである。
【００５０】
有線ネットワーク端末２１０及び２１１は、所定の通信プロトコル（例えば、ＴＣＰ／ＩＰ等）により通信する通信端末であり、この実施形態では、ＶｏＩＰ通信機能を備えるものである。
【００５１】
（Ａ−２）第１の実施形態の動作
次に、第１の実施形態のゲートウェイ装置１００Ａにおける処理の動作を図面を参照しながら詳細に説明する。
【００５２】
以下では、ゲートウェイ装置１００Ａを介して、無線端末２００とＶｏＩＰ端末６００との間でＶｏＩＰ通信を実現する場合を例に挙げて、ゲートウェイ装置１００Ａにおける処理を説明する。
【００５３】
図１において、無線端末２００が、ゲートウェイ装置１００Ａの無線エリアに入ると、無線端末２００及びゲートウェイ装置１００Ａは、ＩＥＥＥ８０２．１１及びＩＥＥＥ８０２．１ｘに準拠する無線通信方式に従って、無線接続を行ない、無線端末２００は、ゲートウェイ装置１００Ａに向けて認証情報を送信する。
【００５４】
無線端末２００の認証情報が、ゲートウェイ装置１００Ａの端末側無線部１０３に受信されると、認証情報は、端末側制御部１０７を介して、パケットルート制御部１０６に与えられる。
【００５５】
このとき、パケットルート制御部１０６は、回線側制御部１０５に対して、認証情報を与えると共に、基地局（ＢＳ）３００との間のコネクション接続を要求する。
【００５６】
パケットルート制御部１０６からコネクション接続の要求がなされると、回線側制御部１０５及び回線側無線部１０２は、ＩＥＥＥ８０２．１６に従った手順により、基地局（ＢＳ）３００との間で、コネクション接続処理を開始し、回線側無線部１０２は、認証情報を基地局（ＢＳ）３００に向けて送信する。
【００５７】
無線端末２００からの認証情報が、基地局（ＢＳ）３００を通じて、ＡＳＮ−ＧＷ４００に与えられると、ＡＳＮ−ＧＷ４００は、コアネットワークＮＴを通じて、無線端末２００の認証情報を認証サーバー５００に与える。
【００５８】
認証サーバー５００は、無線端末２００の認証情報が与えられると、この認証情報に基づいて、所定の認証処理を行ない、認証が成功すると、無線端末２００のＶｏＩＰ通信に係るＱｏＳタイプ情報や暗号キー情報等を、ＡＳＮ−ＧＷ４００に向けて送信する。
【００５９】
認証サーバー５００からの無線端末２００のＶｏＩＰ通信に係るＱｏＳタイプ情報や暗号キー情報等が、ＡＳＮ−ＧＷ４００に与えられると、ＡＳＮ−ＧＷ４００は、ＱｏＳタイプがベストエフォートタイプであるコネクションを確立するよう、基地局３００に対して指示する。
【００６０】
基地局３００は、ゲートウェイ装置１００Ａとの間で、ベストエフォートタイプのＱｏＳタイプのコネクションを確立して、無線端末２００のＶｏＩＰ通信に係る暗号キー情報を、ゲートウェイ装置１００Ａに対して与える。
【００６１】
ゲートウェイ装置１００Ａでは、端末側制御部１０７及び端末側無線部１０３が、ＩＥＥＥ８０２．１１に従って、暗号キー情報に基づく暗号化を含んだ無線通信を実現する。
【００６２】
以上のようにして、ゲートウェイ装置１００Ａと基地局（ＢＳ）３００との間の、無線端末２００のＶｏＩＰ通信に係る当初のコネクションとして、ベストエフォートタイプのＱｏＳタイプのコネクションを確立することができる。
【００６３】
次に、無線端末２００からＶｏＩＰ端末６００に対して発呼する場合の、ゲートウェイ装置１００Ａにおける動作を説明する。
【００６４】
まず、無線端末２００は、発呼メッセージを作成し、この発呼メッセージを格納したＳＩＰパケットをゲートウェイ装置１００Ａに向けて送信する。
【００６５】
無線端末２００からのＳＩＰパケットは、ゲートウェイ装置１００Ａの端末側無線部１０３により受信され、端末側制御部１０７に与えられる。端末側制御部１０７では、受信パケットの宛先アドレスが取得され、宛先アドレスに基づいて、自局に帰属している無線端末宛であるか否かを判断する。
【００６６】
自局に帰属している無線端末宛でないと判断すると、受信パケットは、端末側制御部１０７からパケットルート制御部１０６に与えられる。なお、自局に帰属している無線端末宛であると判断すると、端末側制御部１０７は受信パケットを端末側無線部１０３に与え、端末側無線部１０３が当該パケットを宛先に向けて送信する。
【００６７】
無線端末２００からのＳＩＰパケットがパケットルート制御部１０６に与えられると、パケットルート制御部１０６、回線側制御部１０５及び回線側無線部１０２では、図３に示すような処理を行なう。
【００６８】
パケットルート制御部１０６に受信パケットが与えられると（ステップＳ１０１）、パケットルート制御部１０６により、宛先アドレスに基づいて当該パケットの宛先が判断され（ステップＳ１０２）、パケット識別部１０９により、パケットのメッセージ種類が識別される（ステップＳ１０３）。
【００６９】
パケット識別部１０９により、当該パケットが発呼メッセージ及び切断メッセージでないと判断した場合、パケットルート制御部１０６は回線側制御部１０５に対して当該パケットの送信を要求する（ステップＳ１０４）。
【００７０】
この場合、回線側制御部１０５は、送信元の無線端末２００に対するＱｏＳタイプのコネクションが確立されているか、すなわち、ベストエフォートタイプよりも優先度の高いＱｏＳタイプのコネクションが既に確立されているか否かを判断すると共に（ステップＳ１０５）、当該パケットがＳＩＰパケット又は音声パケットであるか否かを判断する（ステップＳ１０６）。
【００７１】
そして、送信元の無線端末２００に対して、無線端末２００のＱｏＳタイプのコネクション（ベストエフォートタイプよりも優先度が高いＱｏＳタイプのコネクション）が既に確立されており、かつ、当該パケットがＳＩＰパケット又は音声パケットであるときには、既に確立されている、ベストエフォートタイプよりも優先度が高いＱｏＳタイプのコネクションを介して、当該パケット（ＳＩＰパケット又は音声パケット）を送信する（ステップＳ１０７）。
【００７２】
これに対して、上記以外の場合（すなわち、ベストエフォートタイプよりも優先度の高いＱｏｓタイプのコネクションが確立されていない場合や、ベストエフォートタイプよりも優先度の高いコネクションが既に確立されているが、当該パケットがＳＩＰパケット又は音声パケットでない場合）には、ベストエフォートタイプのコネクションを介して、当該パケットを送信する（ステップＳ１０８）。
【００７３】
次に、パケット識別部１０９により、当該パケットが発呼メッセージであると判断した場合、パケットルート制御部１０６は、回線側制御部１０５に対して、送信元の無線端末２００に対するコネクションとして、ベストエフォートタイプより優先度の高いＱｏＳタイプのコネクションが既に確立されているか否かを確認する（ステップＳ１１０）。
【００７４】
そして、ベストエフォートタイプより優先度が高いＱｏＳタイプのコネクションが確立されていない場合、パケットルート制御部１０６は、ベストエフォートタイプより優先度が高いＱｏＳタイプのコネクションを確立するよう、回線側制御部１０５に要求する（ステップＳ１１１）。
【００７５】
コネクション確立の要求を受けると、回線側制御部１０５、回線側無線部１０２、基地局（ＢＳ）３００及びＡＳＮ−ＧＷ４００との間で、ベストエフォートタイプよりも優先度が高いＱｏＳタイプのコネクション確立処理が行なわれる（ステップＳ１１２）。
【００７６】
このとき、ＡＳＮ−ＧＷ４００は、認証サーバー５００から取得した情報（つまり、無線端末２００のＶｏＩＰ通信に係るＱｏＳタイプ情報等）及び現在の帯域占有率等を参照して、ベストエフォートタイプより優先度が高いＱｏＳタイプのコネクションが確立できるか否かを判断する。そして、ＡＳＮ−ＧＷ４００による判断結果に基づいて、基地局（ＢＳ）３００と、回線側無線部１０２及び回線側制御部１０５との間で、ベストエフォートタイプより優先度の高いＱｏＳタイプのコネクションを確立させる。
【００７７】
ベストエフォートタイプより優先度の高いＱｏＳタイプのコネクションが確立されなかった場合（ステップＳ１１２）、パケットルート制御部１０６は、当該発呼メッセージを有するパケットを、ＳＩＰパケット作成部１１０に与える。
【００７８】
そして、ＳＩＰパケット作成部１１０は、このパケットに基づいて、発呼メッセージの送信元アドレス（無線端末２００のアドレス）を宛先アドレスとして、ＢＵＳＹメッセージを有するパケットを作成し（ステップＳ１１４）、この作成したパケットをパケットルート制御部１０６に与える。このとき、ＳＩＰパケット作成部１１０は、発呼メッセージを有するパケットを廃棄する（ステップＳ１１５）。
【００７９】
ＳＩＰ作成部１１０からＢＵＳＹメッセージを有するパケットが、パケットルート制御部１０６に与えられると、パケットルート制御部１０６は、このＢＵＳＹメッセージを有するパケットを端末側制御部１０７に与え、無線端末２００に向けて送信させる（ステップＳ１１４）。
【００８０】
一方、ベストエフォートタイプより優先度の高いＱｏＳタイプのコネクションが確立されると（ステップＳ１１２）、この確立された、ベストエフォートタイプより優先度の高いＱｏＳタイプのコネクションを介して、発呼メッセージを有するパケットを送信する（ステップＳ１１３）。これにより、発呼メッセージは、基地局（ＢＳ）３００に与えられ、ＡＳＮ−ＧＷ４００を介して、コアネットワークＮＴ上のＳＩＰサーバー５０１に与えられる。
【００８１】
これ以降、無線端末２００からのＳＩＰパケット及び音声パケット、又は、無線端末２００宛のＳＩＰパケット及び音声パケットは、ベストエフォートタイプより優先度の高いＱｏＳタイプのコネクションを介して、ＶｏＩＰ通信が行なわれる。
【００８２】
次に、パケット識別部１０９により、当該パケットが切断完了メッセージであると判断した場合、パケットルート制御部１０６は、回線側制御部１０５に当該パケットを与え（ステップＳ１１６）、該当無線端末でのベストエフォートタイプより優先度の高いＱｏＳタイプのコネクションが確立されているか否かを確認し（ステップＳ１１７）、コネクションが確立されている場合、このベストエフォートタイプより優先度の高いＱｏＳタイプのコネクションを開放する（ステップＳ１１８）。
【００８３】
続いて、ＶｏＩＰ端末６００から無線端末２００への着呼する場合の、ゲートウェイ装置１００Ａにおける動作を説明する。
【００８４】
ＶｏＩＰ端末６００が無線端末２００へ発呼する場合は、ＶｏＩＰ端末６００がＳＩＰサーバー５００に対して発呼要求し、これを受けて、ＳＩＰサーバー５００が、ゲートウェイ装置１００Ａを介して、着呼メッセージを有するパケットを、無線端末２００に対して送信する。
【００８５】
ＳＩＰサーバー５００から送信された着呼メッセージを有するパケットは、コアネットワークＮＴ、ＡＳＮ−ＧＷ４００及び基地局（ＢＳ）３００に与えられ、基地局（ＢＳ）３００とゲートウェイ装置１００Ａとの間の、既に確立されているベストエフォートタイプのコネクションを介して、ゲートウェイ装置１００Ａに与えられる。
【００８６】
ＳＩＰサーバー５００からの着呼メッセージを有するパケットが、ゲートウェイ装置１００Ａに与えられると、回線側無線部１０２、回線側制御部１０５及びパケットルート制御部１０６では、図４に示すような処理を行なう。
【００８７】
受信パケットは、回線側無線部１０２及び回線側制御部１０５を介して、パケットルート制御部１０６に与えられる（ステップＳ２０１）。
【００８８】
パケットルート制御部１０６では、受信パケットの宛先アドレスに基づいて、当該パケットの宛先が、自局に帰属している無線端末２００宛であることが判断され（ステップＳ２０２）、パケット識別部１０９により、パケットのメッセージ種類が識別される（ステップＳ２０３）。
【００８９】
このとき、パケット識別部１０９により、当該パケットが着呼メッセージ及び切断メッセージでないと判断されると、パケットルート制御部１０６は受信パケットを端末側制御部１０７に与えて（ステップＳ２０４）、端末側無線部１０３が、ＩＥＥＥ８０２．１１の無線通信方式に従って、無線端末２００に向けて送信する。
【００９０】
次に、パケット識別部１０９により、当該パケットが着呼メッセージであると判断されると、パケットルート制御部１０６は、回線側制御部１０５に対して、送信元の無線端末２００に対するコネクションとして、ベストエフォートタイプより優先度の高いＱｏＳタイプのコネクションが既に確立されているか否かを確認する（ステップＳ２０７）。
【００９１】
そして、ベストエフォートタイプより優先度が高いＱｏＳタイプのコネクションが確立されていない場合、パケットルート制御部１０６は、ベストエフォートタイプより優先度が高いＱｏＳタイプのコネクションを確立するよう、回線側制御部１０５に要求する（ステップＳ２０８）。
【００９２】
コネクション確立の要求を受けると、回線側制御部１０５、回線側無線部１０２、基地局（ＢＳ）３００及びＡＳＮ−ＧＷ４００との間で、ベストエフォートタイプよりも優先度が高いＱｏＳタイプのコネクション確立処理が行なわれる（ステップＳ２０９）。
【００９３】
このとき、ＡＳＮ−ＧＷ４００は、認証サーバー５００から取得した情報（つまり、無線端末２００のＶｏＩＰ通信に係るＱｏＳタイプ情報等）及び現在の帯域占有率等を参照して、ベストエフォートタイプより優先度が高いＱｏＳタイプのコネクションが確立できるか否かを判断する。そして、ＡＳＮ−ＧＷ４００による判断結果に基づいて、基地局（ＢＳ）３００と、回線側無線部１０２及び回線側制御部１０５との間で、ベストエフォートタイプより優先度の高いＱｏＳタイプのコネクションを確立させる。
【００９４】
ベストエフォートタイプより優先度の高いＱｏＳタイプのコネクションが確立されなかった場合（ステップＳ２０９）、パケットルート制御部１０６は、当該発呼メッセージを有するパケットを、ＳＩＰパケット作成部１１０に与える。
【００９５】
そして、ＳＩＰパケット作成部１１０は、このパケットに基づいて、着呼メッセージの送信元アドレス（ＶｏＩＰ端末６００のアドレス）を宛先アドレスとして、ＢＵＳＹメッセージを有するパケットを作成し（ステップＳ２１１）、この作成したパケットをパケットルート制御部１０６に与える。このとき、ＳＩＰパケット作成部１１０は、発呼メッセージを有するパケットを廃棄する（ステップＳ２１２）。
【００９６】
ＳＩＰ作成部１１０からＢＵＳＹメッセージを有するパケットが、パケットルート制御部１０６に与えられると、パケットルート制御部１０６は、このＢＵＳＹメッセージを有するパケットを回線側制御部１０５に与え、回線側無線部１０２がベストエフォートタイプのコネクションを介して送信させる（ステップＳ２１１）。
【００９７】
一方、ベストエフォートタイプより優先度の高いＱｏＳタイプのコネクションが確立されると（ステップＳ２０９）、パケットルート制御部１０６は、当該着呼メッセージを端末側制御部１０３に与える（ステップＳ２１０）。これ以降、無線端末２００からのＳＩＰパケット及び音声パケット、又は、無線端末２００宛のＳＩＰパケット及び音声パケットは、ベストエフォートタイプより優先度の高いＱｏＳタイプのコネクションを介して、ＶｏＩＰ通信が行なわれる。
【００９８】
次に、パケット識別部１０９により、当該パケットが切断完了メッセージであると判断した場合、パケットルート制御部１０６は、端末側制御部１０３に当該パケットを与え（ステップＳ２１３）、該当無線端末でのベストエフォートタイプより優先度の高いＱｏＳタイプのコネクションが確立されているか否かを確認し（ステップＳ２１４）、コネクションが確立されている場合に、このベストエフォートタイプより優先度の高いＱｏＳタイプのコネクションを開放する（ステップＳ２１５）。
【００９９】
図３及び図４では、無線端末２００とＶｏＩＰ端末６００との間のＶｏＩＰ通信を行なう際のゲートウェイ装置１００Ａにおける動作を例に挙げて説明したが、有線ネットワーク端末２１０とＶｏＩＰ端末６００との間のＶｏＩＰ通信を行なう場合も、ＩＥＥＥ８０２．１１に準拠する無線通信手順がないだけで、同様に適用することができる。
【０１００】
（Ａ−３）第１の実施形態の効果
以上のように、第１の実施形態によれば、ＶｏＩＰ通信の呼が発生するときに、ＩＥＥＥ８００２．１６に準拠する高速無線通信上の通信帯域が確保され、呼が開放されたときは通信帯域も開放されるので、この高速無線通信上の通信帯域を指定された１個のコネクションで保証する帯域で割った数以上の数の待機中の端末を接続でききる。
【０１０１】
また、第１の実施形態によれば、ＢＵＳＹメッセージが送られることから、ユーザの操作性も向上する。
【０１０２】
これらにより、すべての端末が同時に通話することはない前提で待機端末の数を含めてネットワーク設計が行なわれた、通常の電話システムを構築することができるという効果が得られる。
【０１０３】
（Ｂ）第２の実施形態
次に、本発明の異種網回線通信装置、方法及びプログラムの第２の実施形態を、図面を参照しながら説明する。
【０１０４】
第２の実施形態も、第１の実施形態と同様に、ＩＥＥＥ８０２．１１に準拠する無線ネットワークと、Ethernet（登録商標）等の有線ネットワークと、ＩＥＥＥ８０２．１６に準拠する無線通信方式に従って接続するコアネットワークとの間で、ＳＩＰパケットや音声パケットを中継処理する、ＶｏＩＰ通信に用いられるゲートウェイ装置に、本発明を適用する場合を例に挙げて説明する。
【０１０５】
（Ｂ−１）第２の実施形態の構成
図５は、第２の実施形態のネットワーク構成及びゲートウェイ装置の内部構成を示す図である。なお、図５では、図１及び図２に示す構成要素と対応する構成要素については、それぞれ対応する符号を付している。
【０１０６】
図５において、第２の実施形態のゲートウェイ装置１００Ｂは、制御部１０１Ｂ、回線側無線部１０２、端末側無線部１０３、有線回線インタフェース部１０４、を少なくとも有して構成される。また、制御部１０１Ｂが、回線側制御部１０５、パケットルート制御部２０６、端末側制御部１０７、有線回線制御部１０８、パケット識別部２０９、ＳＩＰパケット作成部１１０、帯域占有・ルート監視部２１１を有する。
【０１０７】
第２の実施形態では、パケットルート制御部２０６、パケット識別部２０９及び帯域占有・ルート監視部２１１の構成を中心に説明し、第１の実施形態で既に説明した構成要素の説明については省略する。
【０１０８】
パケット識別部２０９は、受信パケットに含まれている発呼メッセージ、着呼メッセージ、切断完了メッセージに加えて、呼接続完了メッセージを識別するものである。
【０１０９】
パケットルート制御部２０６は、パケット識別部１０９による識別結果に基づいて、第１の実施形態に係る処理制御の他に、帯域占有・ルート監視部１１１の処理を制御するものである。
【０１１０】
パケットルート制御部２０６の処理については、動作の項で詳説するが、パケット識別部２０９が呼接続完了メッセージを識別したときには、パケットルート制御部２０６は、新たなＶｏＩＰ通信が確立したことを帯域占有・ルート監視部１１１に通知し、当該ＶｏＩＰ通信の通信ルートに応じて、基地局（ＢＳ）３００との間の不要なコネクションの開放を制御する。
【０１１１】
また、パケット識別部２０９が切断完了メッセージを識別したときに、パケットルート制御部２０６は、ＶｏＩＰ通信が終了したことを、帯域占有・ルート監視部２１１に通知する。
【０１１２】
さらに、パケット識別部２０９が発呼メッセージ又は着呼メッセージを識別したときには、パケットルート制御部２０６は、帯域占有・ルート監視部２１１に対して、新たなＶｏＩＰ通信に必要な帯域のコネクションを確立できるか否かを確認させ、可能であるときに、ベストエフォートよりも優先度が高いＱｏＳタイプのコネクションを確立させ、不可能であるときに、第１の実施形態と同様に、ＢＵＳＹメッセージを通知させる。
【０１１３】
帯域占有・ルート監視部２１１は、パケットルート制御部２０６の制御の下、ＩＥＥＥ８０２．１６の無線通信方式側の帯域占有率と、ＩＥＥＥ８０２．１１の無線通信方式側の帯域占有率とをそれぞれ計算して、それぞれの帯域占有率を保存するものである。
【０１１４】
また、帯域占有・ルート監視部２１１は、受信パケットに含まれているＳＩＰメッセージに基づいて、ＶｏＩＰ通信の通信ルートを判断し、各ＶｏＩＰ通信の通信ルートを保存するものである。
【０１１５】
具体的に、帯域占有・ルート監視部２１１は、ＶｏＩＰ通信の通信ルートとして、コアネットワークＮＴ−無線ネットワーク間、コアネットワークＮＴ−有線ネットワーク間、無線ネットワーク又は有線ネットワーク−有線ネットワーク又は無線ネットワーク間、を判断して管理する。
【０１１６】
（Ｂ−２）第２の実施形態の動作
次に、第２の実施形態のゲートウェイ装置１００Ｂにおける処理動作を、図面を参照しながら説明する。
【０１１７】
なお、以下では、ゲートウェイ装置１００Ｂが、コアネットワークＮＴ、無線ネットワーク及び有線ネットワークのそれぞれの異種ネットワーク間でのＶｏＩＰ通信を実現する場合を例に挙げて説明する。
【０１１８】
図６は、第２の実施形態のゲートウェイ装置１００Ｂにおける処理を示すフローチャートである。
【０１１９】
基地局（ＢＳ）３００、無線端末２００及び２０１、又は、有線ネットワーク端末２１０及び２１１から送信されたパケットが、ゲートウェイ装置１００Ｂに受信されると、パケットルート制御部２０６では、図６に示す処理を行なう。
【０１２０】
まず、パケットルート制御部２０６にパケットが受信されると（ステップＳ３０１）、当該パケットの宛先アドレスが識別され（ステップＳ３０２）、パケット識別部２０９により、当該パケットに含まれているメッセージ種類が識別される（ステップＳ３０３）。
【０１２１】
パケット識別部２０９により、当該パケットが呼接続完了メッセージであると判断されると、パケットルート制御部２０６は、帯域占有・ルート監視部２１１に対して、新たなＶｏＩＰ通信が確立したことを通知する（ステップＳ３０４）。
【０１２２】
このとき、帯域占有・ルート監視部２１１は、受信したＳＩＰメッセージに含まれている当該ＶｏＩＰ通信の通信モード（例えば、コーデック種別情報、ＲＴＰ間隔情報等）に基づいて、当該ＶｏＩＰ通信に必要な、ＩＥＥＥ８０２．１６の無線通信方式側の帯域、及び又は、ＩＥＥＥ８０２．１１の無線通信方式側の帯域をそれぞれ計算する。そして、今回計算した当該ＶｏＩＰ通信に必要な帯域を加算して、帯域占有・ルート監視部２１１が管理している、ＩＥＥＥ８０２．１６の無線通信方式側の帯域占有率及びＩＥＥＥ８０２．１１の無線通信方式側の帯域占有率をそれぞれ更新する（ステップＳ３０５）。
【０１２３】
次に、帯域占有・ルート監視部２１１は、受信したＳＩＰメッセージに基づいて、当該ＶｏＩＰ通信の通信ルートを確認し（ステップＳ３０６）、当該通信ルートを保存する。
【０１２４】
そして、当該ＶｏＩＰ通信の通信ルートが、無線ネットワーク又は有線ネットワーク−有線ネットワーク又は無線ネットワーク間であると判断すると、帯域占有・ルート監視部２１１はパケットルート制御部２０６にその旨を通知し、パケットルート制御部２０６が、該当無線端末又は有線ネットワーク端末での優先度の高いＱｏＳタイプのコネクションを開放する（ステップＳ３０８）。
【０１２５】
なお、当該ＶｏＩＰ通信の通信ルートが、無線ネットワーク又は有線ネットワーク−有線ネットワーク又は無線ネットワーク間以外のときには、基地局（ＢＳ）３００との間のコネクションの接続処理を維持する（ステップＳ３０９）。
【０１２６】
また、パケット識別部２０９により、当該パケットが切断完了メッセージであると判断されると、パケットルート制御部２０９は、帯域占有・ルート監視部２１１に対して、ＶｏＩＰ通信が終了したことを通知する（ステップＳ３１０）。
【０１２７】
そうすると、帯域占有・ルート監視部２１１は、今回終了したＶｏＩＰ通信に係る帯域を減算して、ＩＥＥＥ８０２．１６の無線通信方式側の帯域占有率及びＩＥＥＥ８０２．１１の無線通信方式側の帯域占有率をそれぞれ更新する（ステップＳ２１１）。
【０１２８】
また、パケット識別部２０９により、当該パケットが発呼メッセージ又は着呼メッセージであると判断すると、パケットルート制御部２０６は、帯域占有・ルート監視部２１１に対して、新たなＶｏＩＰ通信に必要な帯域を占有するコネクションの確立が可能であるか否かを問い合わせする。
【０１２９】
帯域占有・ルート監視部２１１は、ＩＥＥＥ８０２．１６の無線通信方式側の帯域占有率及びＩＥＥＥ８０２．１１の無線通信方式側の帯域占有率に基づいて、新たなＶｏＩＰ通信に必要な帯域を占有できるコネクションの確立が可能であるか否かを確認する（ステップＳ３１２）。
【０１３０】
そして、可能である場合（ステップＳ３１３）、第１の実施形態の場合と同様に、パケットルート制御部２０６は、回線側制御部１０５に対して、ベストエフォートタイプよりも優先度が高いＱｏＳタイプのコネクションを確立するよう要求し（ステップＳ３１４）、コネクションが確立すると、このベストエフォートタイプよりも優先度が高いＱｏＳタイプのコネクションを介して接続処理を行なう（ステップＳ３１５）。
【０１３１】
一方、不可能である場合（ステップＳ３１３）、第１の実施形態の場合と同様に、パケットルート制御部２０６は、ＳＩＰパケット作成部１１０に当該パケットを与えて、ＢＵＳＹメッセージを含むＳＩＰパケットを作成させ、このＢＵＳＹメッセージを含むＳＩＰパケットを通知させると共に（ステップＳ３１６）、当該パケットの受信メッセージを廃棄させる（ステップＳ３１７）。
【０１３２】
なお、呼接続完了メッセージ、切断完了メッセージ、発呼又は着呼メッセージ以外のメッセージである場合の処理は、第１の実施形態で説明した処理を適用することができるので、ここでの説明は省略する。
【０１３３】
（Ｂ−３）第２の実施形態の効果
以上のように、第２の実施形態によれば、第１の実施形態で説明した効果に加え、ＩＥＥＥ８０２．１１の無線通信側でのＶｏＩＰ通信品質の確保が可能となり、また、ＬＡＮ間でのＶｏＩＰ通信において、ＩＥＥＥ８０２．１６の無線通信方式での不要な通信帯域の占有がなくすことができる効果が得られる。
【０１３４】
（Ｃ）他の実施形態
上述の第１及び第２の実施形態では、ＩＥＥＥ８０２．１６に準拠する無線通信方式（ＷｉＭＡＸ（登録商標））と、ＩＥＥＥ８０２．１１に準拠する無線通信方式（ＷｉＦｉ（登録商標））との間の変換機能を備えるゲートウェイ装置を例に説明した。しかし、無線通信方式としては、特に限定されるものではなく、他の無線通信方式を広く適用することができる。
【０１３５】
上述の第１及び第２の実施形態では、呼制御プロトコルとしてＳＩＰプロトコルを例に説明したが、呼制御プロトコルは、ＳＩＰ以外の他のプロトコルを適用することができる。また、ＶｏＩＰ通信を実現する場合を例に挙げたが、音声パケット通信に限定されることなく、映像（画像を含む）通信等の他のメディア通信にも広く適用することができる。
【０１３６】
上述の第１及び第２の実施形態において、図１及び図５に示すネットワーク構成は一例であり、各端末や各サーバー等のそれぞれの種類や数は、特に限定されるものではない。また、図３、図４、図６に示す動作フローチャートも一例であり、処理順序を適宜変更することができる。
【０１３７】
第１及び第２の実施形態で説明したゲートウェイ装置の各機能は、物理的に同一の装置が実装する必要はなく、各機能が連動して、第１及び第２の実施形態で説明した機能を実現できるのであれば、各機能構成が分散配置されるようにしてもよい。
【０１３８】
第１及び第２の実施形態のゲートウェイ装置の各機能は、ソフトウェア処理により実現される。例えば、ゲートウェイ装置は、ハードウェアとして、ＣＰＵ、ＲＯＭ、ＲＡＭ、ＥＥＰＲＯＭ等を有して構成される。そして、ゲートウェイ装置の各機能は処理プログラムとしてＲＯＭに格納され、ＣＰＵが各処理プログラムを実行することにより、第１及び第２の実施形態の各機能を実現することができる。なお、可能であれば、電気回路等のハードウェア構成で、第１及び第２の実施形態の各機能を実現するようにしてもよい。
【図面の簡単な説明】
【０１３９】
【図１】第１の実施形態のネットワーク構成及びゲートウェイ装置の内部構成を示す構成図である。
【図２】従来のネットワーク構成及びゲートウェイ装置の内部構成を示す構成図である。
【図３】第１の実施形態において、無線端末がＶｏＩＰ端末に対して発呼をしたときのゲートウェイ装置における処理を示すフローチャートである。
【図４】第１の実施形態において、ＶｏＩＰ端末が無線端末に対して着呼したときのゲートウェイ装置における処理を示すフローチャートである。
【図５】第２の実施形態のネットワーク構成及びゲートウェイ装置の内部構成を示す構成図である。
【図６】第２の実施形態のゲートウェイ装置における処理を示すフローチャートである。
【符号の説明】
【０１４０】
１…ネットワークシステム、１００Ａ及び１００Ｂ…ゲートウェイ装置、２００及び２０１…無線装置、２１０及び２１１…有線ネットワーク端末、ＮＴ…コアネットワーク、３００…基地局（ＢＳ；Base  Station）、４００…ＡＳＮ−ＧＷ（Access  Service  Network  Gateway）、５００…認証サーバー、５０１…ＳＩＰサーバー、６００…ＶｏＩＰ端末、
１０１Ａ及び１０１Ｂ…制御部、１０２…回線側無線部、１０３…端末側無線部、１０４…有線回線インタフェース部、１０５…回線側制御部、１０６及び２０６…パケットルート制御部、１０７…端末側制御部、１０８…有線回線制御部、１０９及び２０９…パケット識別部、１１０…ＳＩＰパケット作成部、２１１…帯域占有・ルート監視部。
【図１】
2009010733.tif 000003
【図２】
2009010733.tif 000004
【図３】
2009010733.tif 000005
【図４】
2009010733.tif 000006
【図５】
2009010733.tif 000007
【図６】
2009010733.tif 000008